(57)【要約】本発明は、一般式（Ｉ）で表される２種以上の化合物を含有する組成物であって、洗濯プロセスにおける抗灰色化剤としての組成物の使用方法に関する。【選択図】なし【特許請求の範囲】
【請求項１】
下記一般式（Ｉ）
【化１】
2019527259.tif 000025
（式中、Ｒは、非置換の分枝のＣ９−Ｃ１５−アルキル基であり、Ｇ１は５又は６個の炭素原子を有する単糖類から選択され、ｘは１〜１０の範囲にあり平均値を指す。）で表される２種以上の化合物を含み、
そして、前記２種以上の化合物は、Ｒ及び／又はＧ１及び／又はｘにおいて異なるものである、化合物
を含む組成物であって、洗濯プロセスにおける抗灰色化剤としての組成物の使用方法。
【請求項２】
前記一般式（Ｉ）中、Ｒは、非置換の分枝のＣ９−Ｃ１３−アルキル基、好ましくは非置換の分枝のＣ９−又はＣ１０−又はＣ１３−アルキル基、そして最も好ましくは非置換の分枝のＣ１０−又はＣ１３−アルキル基である、請求項１に記載の使用方法。
【請求項３】
前記一般式（Ｉ）中、Ｇ１は、グルコース、キシロース、アラビノース、ラムノース及びそれらの混合物からなる群より選択され、及び／又はｘは、１．０５〜２．５の範囲であり、そして好ましくは１．１０〜１．８の範囲である、請求項１又は２に記載の使用方法。
【請求項４】
前記一般式（Ｉ）中、Ｒは、非置換の分枝のＣ１０−又はＣ１３−アルキル基、好ましくは非置換の分枝のＣ１３−アルキル基であり、そして、Ｇ１は、グルコース及び／又はキシロースであり、そしてｘは、１．０５〜２．５の範囲である、請求項１〜３のうちいずれか１項に記載の使用方法。
【請求項５】
前記一般式（Ｉ）中、Ｒは、非置換の分枝のＣ１３−アルキル基であり、そして、Ｇ１はグルコースであり、そしてｘは、１．１０〜１．８の範囲である、請求項１〜４のうちいずれか１項に記載の使用方法。
【請求項６】
前記一般式（Ｉ）中、Ｒは、０．９〜３．５、より好ましくは１．８〜３．５、そして最も好ましくは２．０〜２．５の範囲の平均分枝数を有する、請求項１〜５のうちいずれか１項に記載の使用方法。
【請求項７】
前記一般式（Ｉ）で表される２種以上の化合物が、Ｒにおいて異なるものである、請求項１〜６のうちいずれか１項に記載の使用方法。
【請求項８】
前記洗濯プロセスが５〜１２０℃の範囲の温度において行われる、請求項１〜７のうちいずれか１項に記載の使用方法。
【請求項９】
前記抗灰色化剤が、乾燥状態の、又は液体の製剤である、請求項１〜８のうちいずれか１項に記載の使用方法。
【請求項１０】
前記製剤が、陰イオン界面活性剤、非イオン性界面活性剤、陽イオン性界面活性剤、両性界面活性剤、酵素、漂白剤、過酸化化合物、蛍光増白剤、錯化剤、ポリマー、例えば、ポリカルボキシレート、石鹸、シリコンベースの消泡剤、漂白剤、着色剤、色移り防止剤、及びそれらの混合物からなる群から選択される添加剤をさらに含む、請求項９に記載の使用方法。
【請求項１１】
前記製剤が、単回分製剤又は６００ｇ／Ｌ以上のかさ密度を有する高濃度粉末製剤である、請求項９又は１０に記載の使用方法。
【請求項１２】
前記抗灰色化剤が、洗濯された布地の灰色化を低減させる、請求項１〜１１のうちいずれか１項に記載の使用方法。
【発明の詳細な説明】
【技術分野】
【０００１】
本発明は、一般式（Ｉ）で表される２種以上の化合物を含む組成物の、洗濯プロセスにおける抗灰色化剤としての使用方法に関する。
【背景技術】
【０００２】
洗剤組成物は、当業者によく知られており、そして多種多様な問題に対処するために多種多様な方法で処方され得る。例えば、そのような組成物は、洗浄プロセスにおいて起こる種々の問題に対処するために、ビルダー、蛍光増白剤、分散剤、酵素、香料、界面活性剤（陰イオン性、非イオン性、陽イオン性及び／又は両性）、石鹸、シリコンベースの消泡剤、漂白剤、着色剤、色移り防止剤、錯化剤等のような多種多様な化合物を含み得る。さらにまた、そのような組成物は、それが汚れの最も広く可能性のある領域に対して効果的なように典型的に処方される。この要求は、それらの洗浄性能において広く効果的である１種以上の薬剤を含む組成物を提供することによって対処される。
【０００３】
しかしながら、洗濯物の洗浄プロセス中に発生する１つの特別な問題は、布地の全体的な灰色化を引き起こす汚れの再沈着が一般に起こることである。汚れの再沈着を減少させるために、特定の天然の多糖類又は気体状又は液体のＳＯ２で処理された多糖類のような変性多糖類が開発され、洗濯用製剤に添加され得る（例えば、特許文献１）。しかしながら、そのような化合物の抗灰色化性能は、未だ充分ではない。
【先行技術文献】
【特許文献】
【０００４】
【特許文献１】国際公開第２０１５／０９１１６０号公報
【発明の概要】
【発明が解決しようとする課題】
【０００５】
したがって、洗濯プロセスにおいて使用され得る更なる抗灰色化剤の継続的な要求が存在する。特に、洗濯された布地の灰色化を減少させる抗灰色化剤を提供することが望まれる。さらに、乾燥状態又は液体の製剤で処方され得る抗灰色化剤を提供することが望まれる。
【０００６】
したがって、本発明の目的は、洗濯プロセスにおける抗灰色化剤として使用され得る化合物又は組成物を提供することにある。さらにまた、本発明の目的は、洗濯された布地の灰色化を減少させる化合物又は組成物を提供することにある。本発明のその他の目的は、乾燥状態又は液体の製剤で処方され得る化合物又は組成物を提供することにある。
【課題を解決するための手段】
【０００７】
本発明の概要
前記及びその他の目的は、本発明の内容により解決される。
【０００８】
本発明によれば、下記一般式（Ｉ）
【化１】
2019527259.tif 000002
（式中、Ｒは非置換の分枝のＣ９−Ｃ１５−アルキル基であり、Ｇ１は５又は６個の炭素原子を有する単糖類から選択され、ｘは１〜１０の範囲にあり平均値を指す。）で表される２種以上の化合物を含み、
そして式中、前記２種以上の化合物は、Ｒ及び／又はＧ１及び／又はｘにおいて異なるものである化合物
を含む組成物であって、洗濯プロセスにおける抗灰色化剤としての組成物の使用方法が提供される。
【０００９】
驚くべきことに、本発明者らは、本願明細書に定義された一般式（Ｉ）で表される２種以上の化合物を含む組成物が、洗濯プロセスにおける抗灰色化剤として使用され得ることを見出した。さらにまた、本願明細書に定義された一般式（Ｉ）で表される２種以上の化合物を含む組成物は、洗濯された布地の灰色化を減少させる。さらにまた、ここに定義された一般式（Ｉ）で表される２種以上の化合物を含む組成物は、乾燥状態又は液体の製剤において処方され得る。
【００１０】
当該一般式（Ｉ）で表される２種以上の化合物を含む組成物の本発明における使用の有利な態様は、対応する従属請求項において定義される。
【００１１】
１つの態様によれば、前記一般式（Ｉ）中、Ｒは、非置換の分枝のＣ９−Ｃ１３−アルキル基、好ましくは非置換の分枝のＣ９−又はＣ１０−又はＣ１３−アルキル基、そして最も好ましくは非置換の分枝のＣ１０−又はＣ１３−アルキル基である。
【００１２】
その他の態様によれば、前記一般式（Ｉ）中、Ｇ１は、グルコース、キシロース、アラビノース、ラムノース及びそれらの混合物からなる群より選択され、及び／又は、ｘは、１．０５〜２．５の範囲であり、そして好ましくは１．１０〜１．８の範囲である。
【００１３】
さらに他の態様によれば、前記一般式（Ｉ）中、Ｒは、非置換の分枝のＣ１０−又はＣ１３−アルキル基、好ましくは非置換の分枝のＣ１３−アルキル基であり、そして、Ｇ１はグルコース及び／又はキシロースであり、そしてｘは、１．０５〜２．５の範囲である。
【００１４】
１つの態様において、前記一般式（Ｉ）中、Ｒは、非置換の分枝のＣ１３−アルキル基であり、そして、Ｇ１は、グルコースであり、そして、ｘは、１．１０〜１．８の範囲である。
【００１５】
その他の態様によれば、前記一般式（Ｉ）中、Ｒは、０．９〜３．５、より好ましくは１．８〜３．５、そして最も好ましくは２．０〜２．５の範囲の平均分枝数を有する。
【００１６】
さらに他の態様によれば、前記一般式（Ｉ）で表される２種以上の化合物は、Ｒにおいて異なるものである。
【００１７】
１つの実施態様によれば、前記洗濯プロセスは、５〜１２０℃の範囲の温度において行われる。
【００１８】
その他の態様によれば、前記抗灰色化剤は、乾燥状態の、又は液体の製剤である。
【００１９】
さらにその他の態様によれば、前記製剤は、陰イオン性界面活性剤、非イオン性界面活性剤、陽イオン性界面活性剤、両性界面活性剤、酵素、漂白剤、過酸化化合物、蛍光増白剤、錯化剤、ポリマー、例えば、ポリカルボキシレート、石鹸、シリコンベースの消泡剤、漂白剤、着色剤、色移り防止剤、及びそれらの混合物からなる群から選択される添加剤をさらに含む。
【００２０】
１つの態様によれば、前記製剤は、単回分製剤又は６００ｇ／Ｌ以上のかさ密度を有する高濃度粉末製剤である。
【００２１】
その他の態様によれば、前記抗灰色化剤は、洗濯された布地の灰色化を減少させるものである。
【００２２】
以下の文中において、本発明の詳細及び好ましい態様に係る一般式（Ｉ）で表される２種以上の化合物を含む組成物の使用方法が、より詳細に説明される。
【００２３】
本発明の詳細な説明
下記一般式（Ｉ）
【化２】
2019527259.tif 000003
（式中、Ｒは、非置換の分枝のＣ９−Ｃ１５−アルキル基であり、Ｇ１は５又は６個の炭素原子を有する単糖類から選択され、ｘは１〜１０の範囲にあり平均値を指す。）で表される２種以上の化合物を含み、そして、前記２種以上の化合物がＲ及び／又はＧ１及び／又はｘにおいて異なるものである化合物、
を含む組成物が、洗濯プロセスにおける抗灰色化剤として使用される。
【００２４】
驚くべきことに、本発明者らにより、一般式（Ｉ）の化合物の２種以上を含む組成物が抗灰色化の性能を示し、そしてしたがって抗灰色化剤として使用され得ることが見出された。特に、一般式（Ｉ）の化合物の２種以上を含む組成物が、洗濯された布地の灰色化を減少させることが見出された。さらにまた、一般式（Ｉ）の化合物の２種以上を含む組成物は、乾燥状態又は液体の製剤において処方され得ることが見出された。
【００２５】
前記一般式（Ｉ）中、Ｒは、非置換の分枝のＣ９−Ｃ１５−アルキル基、好ましくは非置換の分枝のＣ９−Ｃ１３−アルキル基、より好ましくは非置換の分枝のＣ９−、又はＣ１０−又はＣ１３−アルキル基、そして最も好ましくは非置換の分枝のＣ１０−又はＣ１３−アルキル基である。例えば、Ｒは、非置換の分枝のＣ１３−アルキル基である。
【００２６】
Ｒは、国際特許公開第０１／３６３５６号公報に記載されているようなヒドロホルミル化のプロセスにより好ましく得られ、これは参照により本願明細書に取り込まれる。
【００２７】
本願明細書で用いられるように、用語「分枝アルキル基」は、下記に定義されるように少なくとも０．７の平均分枝数を有する飽和分枝脂肪族基である。好ましくは、用語「分枝アルキル基」は、下記に定義されるように０．９〜３．５、より好ましくは１．８〜３．５、そして最も好ましくは２．０〜２．５の範囲の平均分枝数を有する飽和分枝脂肪族基を指す。炭素原子数は、鎖状骨格に沿った炭素原子、並びに分枝した炭素を含むものであると認識される。
【００２８】
本願明細書で用いられるように、分子鎖あたりの平均分枝数なる用語は、１３Ｃ核磁気共鳴（１３Ｃ  ＮＭＲ）により測定されるような、対応する分枝アルキル基に対応するアルコール分子当たりの平均の分枝数を指す。鎖中の炭素原子の平均の数は、ガスクロマトグラフィーにより決定される。
【００２９】
本願明細書及び特許請求の範囲の全体にわたり、所定の炭素位において分枝する百分率、分枝の型に基づく分枝の百分率、平均分枝数、及び第４級原子の百分率が種々参照される。これら量は、下記の３つの１３Ｃ−ＮＭＲ法の組み合わせを用いることにより測定されそして決定されるものである。
【００３０】
（１）第１には、４５度のチップ１３Ｃパルス及び１０秒での標準逆ゲート法（有機フリーラジカル緩和試薬を、分枝アルコールの重クロロホルム溶液に添加し、定量的結果を確保する）である。
【００３１】
（２）第２には、８ｍ秒の１／Ｊ遅延を用いたＪ−変調スピンエコー（ＪＭＳＥ）ＮＭＲ法（Ｊは、これらの脂肪族アルコールの炭素及びプロトンの間のカップリング定数１２５Ｈｚである）である。このシーケンスは、奇数のプロトンを有する炭素と、偶数のプロトンを有するもの、即ち、ＣＨ３／ＣＨとＣＨ２／Ｃｑ（Ｃｑは、第４級炭素原子を指す）とを区別する。
【００３２】
（３）第３には、４ミリ秒の１／２Ｊ遅延を用いたＪＭＳＥ  ＮＭＲ「ｑｕａｔ−ｏｎｌｙ（第４級炭素のみ）」法であり、これは、第４級炭素のみからの信号を含むスペクトルを生じる。第４級炭素原子を検出するためのＪＳＭＥ  ＮＭＲ  ｑｕａｔ  ｏｎｌｙ法は、０．３原子％という少量の第４級炭素原子の存在を検出するのに十分な感度を有する。所望によりさらなる段階として、ｑｕａｔ  ｏｎｌｙ  ＪＳＭＥ  ＮＭＲスペクトルの結果から得られた結論を確認しようとする場合は、ＤＥＰＴ−１３５ＮＭＲシーケンスもまた実施し得る。ＤＥＰＴ−１３５ＮＭＲシーケンスは、真の第４級炭素とブレークスループロトン化炭素とを識別するのに非常に役立ち得る。これは、ＤＥＰＴ−１３５シーケンスが、ＪＭＳＥ「ｑｕａｔ  ｏｎｌｙ」実験のものと「正反対」のスペクトルを生じることによるものである。後者は、第４級炭素の信号を除くすべての信号をゼロにするのに対し、ＤＥＰＴ−１３５は、もっぱら第４級炭素をゼロにする。したがって、この２つのスペクトルを組み合わせることは、ＪＭＳＥ「ｑｕａｔ−ｏｎｌｙ」スペクトル中の非第４級炭素の特定に非常に役立つ。しかし、本願明細書全体を通して第４級炭素原子の存在または不存在に言及する場合は、ｑｕａｔ  ｏｎｌｙ  ＪＳＭＥ  ＮＭＲ法により測定した第四級炭素の一定量の存在または不存在を意味する。所望により、結果をより確認したい場合には、ＤＥＰＴ−１３５法を用いて、第４級炭素の存在および量を確認することができる。
【００３３】
例えば、分枝Ｃ１３−アルキル基は、０．９〜３．５、より好ましくは１．８〜３．５、そして最も好ましくは２．０〜２．５の平均分枝数を有する。この分枝数は、分枝アルキル基マイナス１のアルコールに対応する１つの分子中のメチル基の数として定義される。平均分枝数は、サンプル分子の分枝数の統計的平均である。
【００３４】
例えば、分枝アルキル基は、ＮＭＲ法によって、一方の基と比較して、Ｃ２炭素位において５〜２５％分枝を有するとして特徴付けられる。好ましい態様において、ＮＭＲ技術によって決定されるように、分枝数の１０〜２０％はＣ２位である。分枝アルキル基はまた、ＮＭＲ法によってもまた決定されるように、一般に、分枝数の１０％〜５０％はＣ３位であり、より典型的には分枝数の１５％〜３０％がＣ３位である。Ｃ２位において見られた分枝数とカップリングしている場合、この場合の分枝アルキル基はＣ２及びＣ３炭素位において有意な分枝量を含む。
【００３５】
したがって、本発明の分枝アルキル基は、Ｃ２及びＣ３位において有意の分枝数を有する。さらに又は或いは、ＮＭＲ法で測定されるように、分枝アルキル基は、好ましくは≦７％、より好ましくは≦５％のイソプロピル末端型の分枝を有し、このことは、エーテル基に対して骨格中の最後から２番目の炭素位におけるメチル分枝を意味する。
【００３６】
1つの態様において、分枝は、炭素骨格の長さに亘って生じる。しかし、分枝の少なくとも２０％、より好ましくは３０％が、Ｃ２，Ｃ３及びイソプロピル位に集中していることが好ましい。或いは、メチル分枝の合計数は、上記記載のＮＭＲ法により測定されるように、分枝の合計数の少なくとも４０％、さらに、少なくとも５０％である。この割合は、エーテル基に対するＣ１〜Ｃ３炭素位の間で上記記載のＮＭＲ法により見られるメチル分枝、及び末端イソプロピル型のメチル分枝の総数を含む。
【００３７】
分枝アルキル基、その性質及び合成は、さらに国際公開第０１／３６３５６号公報、国際公開第９８/２３５６６号公報、及び欧州特許出願公開第１２３０２００号公報に記載されており、これらは参照としてここに取り込まれる。
【００３８】
用語「非置換」は、分枝アルキル基が置換基のないことを意味し、即ち、分枝アルキル基は炭素原子及び水素原子のみで構成されることを意味する。
【００３９】
１つの態様において、組成物における２種以上の化合物は、Ｒにおいて異なる。好ましくは、当該組成物は、一般式（Ｉ）のＲにおいて異なる一方、Ｇ１及びｘが同じである２種以上の化合物を含む。組成物における２種以上の化合物がＲにおいて異なる場合、Ｒは、炭素原子数（即ち、長さ）又は分枝の種類において異なっていても良い。
【００４０】
例えば、組成物における２種以上の化合物が炭素原子数（即ち、長さ）において異なる場合、２種以上の化合物の１種は、Ｒが非置換の分枝Ｃ９−アルキル基である化合物であり、そして２種以上の化合物の１種以上の化合物は、Ｒが非置換の分枝Ｃ１０−アルキル基、非置換の分枝Ｃ１１−アルキル基、非置換の分枝Ｃ１２−アルキル基、非置換の分枝Ｃ１３−アルキル基、非置換の分枝Ｃ１４−アルキル基及び／又は非置換の分枝Ｃ１５−アルキル基である化合物である。
【００４１】
あるいは、組成物における２種以上の化合物が、分枝の種類において異なる場合、２種以上の化合物が同じ炭素原子数（即ち、長さ）を有する化合物であるが、炭素骨格の長さに亘っての分枝が異なっていると認識される。例えば、２種以上の化合物の夫々は、Ｒが炭素骨格の長さに亘る分枝が異なる非置換の分枝のＣ１３−アルキル基である。したがって、Ｒは、種々の非置換の分枝Ｃ９−Ｃ１５−アルキル基の混合物である。
【００４２】
Ｒが種々の非置換の分枝Ｃ９−Ｃ１５−アルキル基の混合物である場合、本発明の組成物は、非置換の直鎖Ｃ９−Ｃ１５−アルキル基、即ち、分枝していないＣ９−Ｃ１５−アルキル基であるＲの少量を含むことを排除するものではないと認識される。例えば、一般式（Ｉ）の２種以上の化合物を含む組成物は、Ｒが組成物の総重量に基づき≦１．０質量％の量の非置換の直鎖Ｃ９−Ｃ１５−アルキル基である１種以上の化合物を含む。
【００４３】
好ましくは、組成物における２種以上の化合物はＲにおいて異なる。
【００４４】
一般式（Ｉ）の２種以上の化合物は、アルコール類の混合物の対応するグリコシル化により好ましく得られる。アルコール類の混合物は、ヒドロホルミル化により好ましく得られ、所望によりブテンの三量体又はプロペンの四量体、より好ましくはブテンの三量体の水素添加によって得られることが知られている。アルコール類の混合物の製造方法は、例えば、国際公開第０１/３６３５６号公報に記載され、これは参照として本願明細書に取り込まれる。
【００４５】
一般式（Ｉ）において、Ｇ１は、５又は６個の炭素原子を有する単糖類から選択される。例えば、Ｇ１は、五炭糖及び六炭糖から選択される。五炭糖の例は、リブロース、キシルロース、リボース、アラビノース、キシロース及びリキソースである。六炭糖の例は、ガラクトース、マンノース、ラムノース及びグルコースである。単糖類は、合成品、又は天然物から派生又は単離されたものであり得、以下に単に天然単糖類又は天然多糖類と称し、そして天然単糖類、天然多糖類が好ましい。より好ましくは、下記の天然単糖類：グルコース、キシロース、アラビノース、ラムノース及び前記の混合物であり、そしてさらに好ましくはグルコース及び／又はキシロースであり、そして特に好ましくはグルコースである。単糖類は、それらの光学異性体のいずれかから選択され得、天然由来の光学異性体及び天然由来の光学異性体の混合物が好ましい。天然には、特定の分子においてのみ、Ｇ１の全ての群が生じ得る。
【００４６】
したがって、一般式（Ｉ）におけるＧ１が五単糖である場合、当該五単糖は、Ｄ−リブロース、Ｌ−リブロースのようなリブロース、及びそれらの混合物、好ましくはＤ−リブロース、Ｄ−キシルロース、Ｌ−キシルロースのようなキシルロース、及びそれらの混合物、好ましくはＤ−キシルロース、Ｄ−リボース、Ｌ−リボースのようなリボース、及びそれらの混合物、好ましくはＤ−リボース、Ｄ−アラビノース、Ｌ−アラビノースのようなアラビノース、及びそれらの混合物、好ましくはＬ−アラビノース、Ｄ−キシロース、Ｌ−キシロースのようなキシロース、及びそれらの混合物、好ましくはＤ−キシロース、及びＤ−リキソース、Ｌ−リキソースのようなリキソース、及びそれらの混合物、好ましくはＤ−リキソースから選択され得る。一般式（Ｉ）におけるＧ１が六単糖である場合、当該六単糖は、Ｄ−ガラクトース、Ｌ−ガラクトースのようなガラクトース、及びそれらの混合物、好ましくはＤ−ガラクトース、Ｄ−マンノース、Ｌ−マンノースのようなマンノース、及びそれらの混合物、好ましくはＤ−マンノース、Ｄ−ラムノース、Ｌ−ラムノースのようなラムノース、及びそれらの混合物、好ましくはＬ−ラムノース、及びＤ−グルコース、Ｌ−グルコースのようなグルコース、及びそれらの混合物、好ましくはＤ−グルコースから選択され得る。より好ましくは、一般式（Ｉ）におけるＧ１は、Ｄ−グルコース、キシロース、好ましくはＤ−キシロース、アラビノース、好ましくはＤ−アラビノース、ラムノース、好ましくはＬ−ラムノース及び前記の混合物、さらにより好ましくは、一般式（Ｉ）におけるＧ１は、グルコース、好ましくはＤ−グルコース及び／又はキシロース、好ましくはＤ−キシロース、及び／又はアラビノース、好ましくはＤ−アラビノースである。例えば、一般式（Ｉ）におけるＧ１は、グルコース、好ましくはＤ−グルコースである。
【００４７】
本発明の１つの態様において、Ｇ１は、６個の炭素原子を有する単糖類、好ましくはグルコース、好ましくはＤ−グルコースから選択される。
【００４８】
１つの態様において、Ｇ１は、バイオマス源の発酵過程から得られる５又は６個の炭素原子を有する単糖類から選択される。当該バイオマス源は、松材、ブナ材、麦わら、トウモロコシわら、スイッチグラス、亜麻、大麦殻、オート麦殻、バガス、キワススキ等から選択される。
【００４９】
したがって、Ｇ１は５又は６個の炭素原子を有する単糖類の混合物を含み得る。
【００５０】
５又は６個の炭素原子を有する単糖類の好ましい混合物は、限定されるものではないが、キシロース及びグルコースの混合物又はキシロース及びアラビノース及び所望によりグルコースの混合物を含む。したがって、Ｇ１は、好ましくは、キシロース及びグルコースの混合物又はキシロース及びアラビノース及び任意にグルコースの混合物である。
【００５１】
５又は６個の炭素原子を有する単糖類の混合物がグルコース及びキシロースを含む場合、グルコースに対するキシロースの質量比は、使用したバイオマス源により広い範囲で変化し得る。例えば、５又は６個の炭素原子を有する単糖類の混合物がグルコース及びキシロースの混合物を含む場合、混合物中のグルコースとキシロースとの質量比（グルコース（質量％）／キシロース（質量％））は、好ましくは２０：１〜１：１０、より好ましくは１０：１〜１：５、さらにより好ましくは５：１〜１：２、そして最も好ましくは３：１〜１：１である。
【００５２】
５又は６個の炭素原子を有する単糖類の混合物がキシロース及びアラビノースを含む場合、キシロースとアラビノースとの質量比は、使用したバイオマス源により広範囲で変化し得る。例えば、５又は６個の炭素原子を有する単糖類の混合物がキシロース及びアラビノースの混合物を含む場合、混合物中のキシロースとアラビノースとの質量比（キシロース（質量％）／アラビノース（質量％））は、好ましくは１５０：１〜１：１０、より好ましくは１００：１〜１：５、さらにより好ましくは９０：１〜１：２、そして最も好ましくは８０：１〜１：１である。
【００５３】
５又は６個の炭素原子を有する単糖類の混合物がグルコース及びキシロース及びアラビノースを含む場合、グルコースとキシロースとアラビノースの質量比は、使用したバイオマス源により広範囲で変化し得る。例えば、５又は６個の炭素原子を有する単糖類の混合物がグルコース及びキシロース及びアラビノースの混合物を含む場合、混合物中のグルコースとアラビノースとの質量比（グルコース（質量％）／アラビノース（質量％））は、好ましくは２２０：１〜１：２０、より好ましくは２００：１〜１：１５、さらにより好ましくは１９０：１〜１：１０、そして最も好ましくは１８０：１〜１：８である。さらに又は或いは、混合物中のキシロースとアラビノースとの質量比（キシロース（質量％）／アラビノース（質量％））は、好ましくは１５０：１〜１：２０、より好ましくは１２０：１〜１：１５、さらにより好ましくは１００：１〜１：１０、そして最も好ましくは８０：１〜１：８である。さらに又は或いは、混合物中のグルコースとキシロースとの質量比（グルコース（質量％）／キシロース（質量％））は、好ましくは１５０：１〜１：２０、より好ましくは１２０：１〜１：１５、さらにより好ましくは１００：１〜１：１０、そして最も好ましくは８０：１〜１：８である。
【００５４】
さらに、５又は６個の炭素原子を有する単糖類の混合物は、ドイツ国特許第６９５０４１５８号公報、ドイツ国特許第６９７１２６０２号公報、フランス国特許第２９６７１６４号公報、米国特許第６７７４１１３号公報に開示されており、その文脈は本願明細書に参照として取り込まれる。
【００５５】
１つの態様において、特にＧ１がバイオマス源の発酵過程から得られる場合、Ｇ１は、５又は６個の炭素原子を有する単糖類とは異なる少量の単糖類も含み得る。
【００５６】
好ましくは、Ｇ１は、単糖類の総質量に基づき≦１０質量％、より好ましくは≦５質量％の、５又は６個の炭素原子を有する単糖類とは異なる単糖類を含む。即ち、Ｇ１は、単糖類の総質量に基づき≧９０質量％、より好ましくは≧９５質量％の５又は６個の炭素原子を有する単糖類を含む。
【００５７】
一般式（Ｉ）において、ｘ（重合度（ＤＰ）とも称される）は、１〜１０の範囲、好ましくは、ｘは、１．０５〜２．５の範囲、そして最も好ましくはｘは、１．１０〜１．８、例えば１．１〜１．４の範囲である。本発明に関し、ｘは平均値として言及され、そしてｘは必ずしも整数ではない。特定の分子においてのみ、Ｇ１の全ての群が生じ得る。Ｋ．Ｈｉｌｌら、アルキルポリグルコシド、ＶＣＨヴァインハイム、ニューヨーク、バーゼル、ケンブリッジ、東京１９９７年、特に２８ｆｆ頁に従った高温ガスクロマトグラフィー（ＨＴＧＣ）、例えば、４００℃、又はＨＰＬＣによりｘを決定することが好ましい。ＨＰＬＣ法においては、ｘはＦｌｏｒｙ法により決定され得る。ＨＰＬＣ及びＨＴＧＣにより得られた値が相違する場合、ＨＴＧＣに基づく値を重視するのが好ましい。
【００５８】
従って、下記一般式（Ｉ）
【化３】
2019527259.tif 000004
（式中、Ｒは、非置換の分枝のＣ９−Ｃ１３−アルキル基であり、Ｇ１は、グルコース、キシロース、アラビノース、ラムノース及びそれらの混合物からなる群より選択され、そして、ｘは１．０５〜２．５の範囲にある平均値を指す。）で表される２種以上の化合物を含む組成物であることが好ましい。
【００５９】
例えば、下記一般式（Ｉ）
【化４】
2019527259.tif 000005
で表される２種以上の化合物を含む組成物中、Ｒは、非置換の分枝のＣ９−Ｃ１３−アルキル基であり、Ｇ１は、グルコース、キシロース、アラビノース、ラムノース及びそれらの混合物からなる群より選択され、そして、ｘは１．１０〜１．８の範囲にある平均値を指す。
【００６０】
好ましくは、下記一般式（Ｉ）
【化５】
2019527259.tif 000006
で表される２種以上の化合物を含む組成物中、Ｒは、非置換の分枝のＣ９−又はＣ１０−又はＣ１３−アルキル基であり、Ｇ１は、グルコース、キシロース、アラビノース、ラムノース及びそれらの混合物からなる群より選択され、そして、ｘは１．０５〜２．５の範囲にある平均値を指す。
【００６１】
例えば、下記一般式（Ｉ）
【化６】
2019527259.tif 000007
で表される２種以上の化合物を含む組成物中、Ｒは、非置換の分枝のＣ９−又はＣ１０−又はＣ１３−アルキル基であり、Ｇ１は、グルコース、キシロース、アラビノース、ラムノース及びそれらの混合物からなる群より選択され、そして、ｘは１．１０〜１．８の範囲にある平均値を指す。
【００６２】
より好ましくは、下記一般式（Ｉ）
【化７】
2019527259.tif 000008
で表される２種以上の化合物を含む組成物中、Ｒは、非置換の分枝のＣ１０−又はＣ１３−アルキル基であり、Ｇ１は、グルコース、キシロース、アラビノース、ラムノース及びそれらの混合物からなる群より選択され、そして、ｘは１．０５〜２．５の範囲にある平均値を指す。
【００６３】
例えば、下記一般式（Ｉ）
【化８】
2019527259.tif 000009
で表される２種以上の化合物を含む組成物中、Ｒは、非置換の分枝のＣ１０−又はＣ１３−アルキル基であり、Ｇ１は、グルコース、キシロース、アラビノース、ラムノース及びそれらの混合物からなる群より選択され、そして、ｘは１．１０〜１．８の範囲にある平均値を指す。
【００６４】
さらにより好ましくは、下記一般式（Ｉ）
【化９】
2019527259.tif 000010
で表される２種以上の化合物を含む組成物中、Ｒは、非置換の分枝のＣ１０−又はＣ１３−アルキル基であり、Ｇ１は、グルコース及び／又はキシロースからなる群より選択され、そして、ｘは１．０５〜２．５の範囲にある平均値を指す。
【００６５】
例えば、下記一般式（Ｉ）
【化１０】
2019527259.tif 000011
で表される２種以上の化合物を含む組成物中、Ｒは、非置換の分枝のＣ１０−又はＣ１３−アルキル基であり、Ｇ１は、グルコース及び／又はキシロースからなる群より選択され、そして、ｘは１．１０〜１．８の範囲にある平均値を指す。
【００６６】
１つの態様において、Ｒは、炭素骨格の長さに亘る分枝において異なる。したがって、Ｒは、種々の非置換の分枝のＣ１０−又はＣ１３−アルキル基の混合物である。
【００６７】
最も好ましくは、下記一般式（Ｉ）
【化１１】
2019527259.tif 000012
で表される２種以上の化合物を含む組成物中、Ｒは、非置換の分枝のＣ１０−又はＣ１３−アルキル基であり、Ｇ１は、グルコースからなる群より選択され、そして、ｘは１．０５〜２．５の範囲にある平均値を指す。
【００６８】
例えば、下記一般式（Ｉ）
【化１２】
2019527259.tif 000013
で表される２種以上の化合物を含む組成物中、Ｒは、非置換の分枝のＣ１０−又はＣ１３−アルキル基であり、Ｇ１は、グルコースからなる群より選択され、そして、ｘは１．１０〜１．８の範囲にある平均値を指す。
【００６９】
１つの実施態様において、Ｒは、炭素骨格の長さに亘る分枝において異なる。したがって、Ｒは、種々の非置換の分枝のＣ１０−又はＣ１３−アルキル基の混合物である。
【００７０】
特に好ましいものは、下記一般式（Ｉ）
【化１３】
2019527259.tif 000014
（式中、Ｒは、非置換の分枝のＣ１３−アルキル基であり、Ｇ１は、グルコース及び／又はキシロースからなる群より選択され、そして、ｘは１．０５〜２．５の範囲にある平均値を指す。）で表される２種以上の化合物を含む組成物である。
【００７１】
例えば、下記一般式（Ｉ）
【化１４】
2019527259.tif 000015
の２種以上の化合物を含む組成物中、Ｒは、非置換の分枝のＣ１３−アルキル基であり、Ｇ１は、グルコース及び／又はキシロースからなる群より選択され、そして、ｘは１．１０〜１．８の範囲にある平均値を指す。
【００７２】
１つの実施態様において、Ｒは、炭素骨格の長さに亘る分枝において異なる。したがって、Ｒは、種々の非置換の分枝のＣ１３−アルキル基の混合物である。
【００７３】
特に、下記一般式（Ｉ）
【化１５】
2019527259.tif 000016
（式中、Ｒは、非置換の分枝のＣ１３−アルキル基であり、Ｇ１は、グルコースからなる群より選択され、そして、ｘは１．０５〜２．５の範囲にある平均値を指す。）で表される２種以上の化合物を含む組成物である。
【００７４】
例えば、下記一般式（Ｉ）
【化１６】
2019527259.tif 000017
の２種以上の化合物を含む組成物中、Ｒは、非置換の分枝のＣ１３−アルキル基であり、Ｇ１は、グルコースからなる群より選択され、そして、ｘは１．１０〜１．８の範囲にある平均値を指す。
【００７５】
１つの実施態様において、Ｒは、炭素骨格の長さに亘る分枝において異なる。したがって、Ｒは、種々の非置換の分枝のＣ１０−又はＣ１３−アルキル基の混合物である。
【００７６】
一般式（Ｉ）の２種以上の化合物が、組成物中に提供されることが好ましい。
【００７７】
当該組成物が一般式（Ｉ）で表される２種以上の化合物を含む、好ましくは一般式（Ｉ）で表される２種以上の化合物からなる場合、当該組成物中に存在する２種以上の化合物は、一般式（Ｉ）中の基Ｒ及び／又はＧ１及び／又はｘにおいて異なる。即ち、基Ｒ及び／又はＧ１及び／又はｘは、互いに独立して選択され得る。
【００７８】
例えば、当該組成物が、一般式（Ｉ）で表される２種以上の化合物を含む、好ましくは一般式（Ｉ）の２種以上の化合物からなる場合、Ｒは、非置換の分枝のＣ９−又はＣ１５−アルキル基、好ましくは非置換の分枝のＣ９−又はＣ１３−アルキル基、より好ましくは非置換の分枝のＣ９−又はＣ１０−又はＣ１３−アルキル基であり、そして最も好ましくはＣ１０−又はＣ１３−アルキル基であり、一方、一般式（Ｉ）中のＧ１及びｘは、各々の化合物において同じである。あるいは、ｘは、独立して１〜１０の範囲、好ましくは１．０５〜２．５の範囲から、そして最も好ましくは１．１０〜１．８の範囲から選択され、一方、一般式（Ｉ）中のＲ及びＧ１は、各々の化合物において同じである。或いは、Ｇ１は独立して５又は６個の炭素原子を有する単糖類より、より好ましくはグルコース、キシロース、アラビノース、ラムノース及びこれらの混合物からなる群より、そして最も好ましくはグルコース及び／又はキシロースより選択され、一方、一般式（Ｉ）中のＲ及びｘは、各々の化合物において同じである。
【００７９】
好ましくは、一般式（Ｉ）で表される２種以上の化合物は、Ｒにおいて異なる。より好ましくは、一般式（Ｉ）で表される２種以上の化合物は、Ｒにおいて異なる一方で、Ｇ１及びｘは、同じである。
【００８０】
一般式（Ｉ）の化合物は、α及び／又はβ構造で存在し得ることが好ましい。例えば、一般式（Ｉ）の化合物は、α又はβ構造、好ましくはα構造である。或いは、一般式（Ｉ）の化合物は、α及びβ構造である。
【００８１】
一般式（Ｉ）の化合物がα及びβ構造である場合、一般式（Ｉ）の化合物は、好ましくは比（α／β）が１０：１〜１：１０、より好ましくは１０：１〜１：５、さらにより好ましくは１０：１〜１：４、そして最も好ましくは１０：１〜１：３、例えば約２：１〜１：２であるα及びβ構造を含む。
【００８２】
一般式（Ｉ）の２種以上の化合物を含む組成物は、好ましくは乾燥状態の、又は液体の製剤である。
【００８３】
したがって、本発明は、一般式（Ｉ）の２種以上の化合物を含む組成物を含む乾燥状態又は液体の製剤の更なる局面について言及する。
【００８４】
例えば、乾燥状態又は液体の製剤は、乾燥状態又は液体の洗浄用製剤である。
【００８５】
用語「洗浄」は、ここで、最も広範な趣旨において用いられ、そして、洗浄される物、例えば布地又は食器類から油状及び／又は油脂を含む物質のような不要物質を除去することを意味する。
【００８６】
ここで用いられる用語「乾燥状態の製剤」は、粉末、顆粒またはタブレットの形態にある製剤を指す。「乾燥状態の製剤」は、水分含量が製剤の総質量に基づき≦２０質量％、より好ましくは≦１５質量％、さらにより好ましくは≦１０質量％、そして最も好ましくは≦７．５質量％を有することが好ましい。特に断りのないかぎり、水分含量は、ＤＩＮ  ＥＮ  １３２６７：２００１に概説されるカールフィッシャー法により測定される。乾燥状態の製剤が粉末の形態で提供される場合、当該製剤は、好ましくは６００ｇ／Ｌ以上の嵩密度を有する高濃度粉末製剤である。
【００８７】
ここで用いられる用語「液体製剤」は、「注ぐことが可能な液体」、「ジェル」又は「ペースト」の形態にある。
【００８８】
「注ぐことが可能な液体」は、２５℃におけるせん断速度２０秒−１における粘度が＜３０００ｍＰａ・ｓを有する液体製剤を指す。例えば、注ぐことが可能な液体は、２５℃におけるせん断速度２０秒−１における粘度が２００〜２０００ｍＰａ・ｓ、好ましくは２００〜１５００ｍＰａ・ｓ、そして最も好ましくは２００〜１０００ｍＰａ・ｓの範囲の粘度を有する。
【００８９】
「ジェル」は、２５℃におけるせん断速度２０秒−１における粘度が＞２０００ｍＰａ・ｓを有する透明又は半透明の液体製剤を指す。例えば、ジェルは、２５℃におけるせん断率０．１秒−１における粘度が２０００〜１００００ｍＰａ・ｓ、好ましく５０００〜１００００ｍＰａ・ｓの範囲の粘度を有する。
【００９０】
「ペースト」は、２５℃におけるせん断速度２０秒−１における粘度が２０００ｍＰａ・ｓより高い不透明の液体製剤を指す。例えば、ペーストは、２５℃におけるせん断率０．１秒−１における粘度が３０００〜１００００ｍＰａ・ｓ、好ましく５０００〜１００００ｍＰａ・ｓの範囲の粘度を有する。
【００９１】
乾燥状態又は液体処方は、好ましくは単回製剤の形態である。
【００９２】
好ましくは、一般式（Ｉ）の２種以上の化合物を含む組成物は、液体製剤、より好ましくは液体洗浄用製剤である。
【００９３】
当該乾燥状態又は液体の製剤は、好ましくは乾燥状態又は液体の洗浄用製剤は、一般式（Ｉ）の２種以上の化合物を含む組成物を、製剤の総質量に基づき好ましくは０．１〜８０質量％、好ましくは０．１〜５０質量％、そしてより好ましくは０．１〜２５質量％の範囲の量で含む。
【００９４】
乾燥状態又は液体製剤、好ましくは乾燥状態又は液体洗濯製剤は、調製されるべき製剤の種類において典型的に使用される添加剤をさらに含み得ることが好ましい。例えば、乾燥状態又は液体製剤、好ましくは乾燥状態又は液体洗濯製剤は、陰イオン性界面活性剤、非イオン性界面活性剤、陽イオン性界面活性剤、両性界面活性剤、酵素、漂白剤、過酸化化合物、蛍光増白剤、錯化剤、ポリマー、石鹸、シリコンベースの消泡剤、漂白剤、着色剤、色移り防止剤、及びそれらの混合物を含む群より選択される添加剤を更に含む。
【００９５】
乾燥状態又は液体製剤、好ましくは乾燥状態又は液体洗浄用製剤に好適な陰イオン性界面活性剤は、幾つかの種々の型のものであり得る。例えば、陰イオン性界面活性剤は、アルカンスルホネート、オレフィンスルホネート、脂肪酸エステルスルホネート、特にメチルエステルスルホネート、アルキルホスホネート、アルキルエーテルホスホネート、サルコシネート、タウレート、アルキルエーテルカルボキシレート、脂肪酸イソチオネート、スルホサクシネート、Ｃ８−Ｃ２２アルキルサルフェート、Ｃ８−Ｃ２２アルキルアルコキシサルフェート、Ｃ１１−Ｃ１３アルキルベンゼンスルホネート、Ｃ１２−Ｃ２０メチルエステルスルホネート、Ｃ１２−Ｃ１８脂肪酸せっけん、及びそれらの混合物を含む群から選択され得る。
【００９６】
乾燥状態又は液体製剤、好ましくは乾燥状態又は液体洗浄用製剤に好適な非イオン性界面活性剤は、幾つかの種々の型のものであり得る。例えば、非イオン性界面活性剤は、Ｃ８−Ｃ２２アルキルエトキシレート、Ｃ６−Ｃ１２アルキルフェノールアルコキシレート、好ましくはエトキシレート及び混合されたエトキシ／プロポキシ、Ｃ６−Ｃ１２アルキルフェノールのブロックアルキレンオキシド縮合物、Ｃ８−Ｃ２２アルカノール及びエチレンオキシド／プロピレンオキシドブロックポリマーのアルキレンオキシド縮合物、アルキル多糖類、アルキルポリグルコシド界面活性剤、アルコールのモル当たり５〜２０モルのエチレンオキシドを有するＣ１２−Ｃ１５アルコールの縮合生成物、ポリヒドロキシ脂肪酸アミド、好ましくはＮ−メチル  Ｎ−１−デオキシグルシチルココアミド（N-methyl N-1- deoxyglucityl cocoamide）、又はＮ−１−デオキシグルシチルオレアミド（N-methyl N-1-deoxyglucityl oleamide）及びそれらの混合物を含む群から選択され得る。１つの実施態様において、非イオン性界面活性剤は、式Ｒ１（ＯＣ２Ｈ４）ｎＯＨ（式中、Ｒ１は、Ｃ１０−Ｃ１６アルキル基又はＣ８−Ｃ１２アルキルフェニル基を表し、そしてｎは３〜約８０を表す。）のものであり得る。
【００９７】
さらに、又は或いは、非イオン性界面活性剤は、ラムノリピッド、ソフォロリピッド、グルコースリピッド、セルロースリピッド、トレハロースリピッド、マンノシルエリスリトールリピッド、リポペプチド及びこれらの混合物を含む群から選択されるバイオ界面活性剤であり得る。
【００９８】
好ましい非イオン性界面活性剤は、グルカミド、メチルエステルアルコキシレート、アルコキシレート化されたアルコール、エチレンオキシド及びプロピレンオキシドのジ−及びマルチブロックコポリマー、及びエチレンオキシド又はプロピレンオキシドとソルビタンの反応生成物、アルキルポリグルコシド（ＡＰＧ）、ヒドロキシアルキル混合エーテル及びアミンオキシドである。
【００９９】
アルコキシル化アルコール及びアルコキシレート化脂肪族アルコールの好ましい例は、例えば、一般式（ＩＩＩ）で表される化合物
【化１７】
2019527259.tif 000018
であり、変項は以下のように定義される：
Ｒ３は、Ｃ８−Ｃ２２−アルキル基、分枝又は直鎖の、例えば、ｎ−Ｃ８Ｈ１７、ｎ−Ｃ１０Ｈ２１、ｎ−Ｃ１２Ｈ２５、ｎ−Ｃ１４Ｈ２９、ｎ−Ｃ１６Ｈ３３又はｎ−Ｃ１８Ｈ３７、から選択され、
Ｒ４は、Ｃ１−Ｃ１０アルキル基、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ネオペンチル基、１，２−ジメチルプロピル基、イソアミル基、ｎ−ヘキシル基、イソヘキシル基、ｓｅｃ−ヘキシル基、ｎ−ヘプチル基、ｎ−オクチル基、２−エチルヘキシル基、ｎ−ノニル基、ｎ−デシル基又はイソデシル基から選択され、
Ｒ５は、同一又は異なって、そして、水素原子及びＣ１−Ｃ１０アルキル基、好ましくは各々の場合に同一でありそしてエチル基であり、そして特に好ましくは水素原子又はメチル基であり、
ｅ及びｆは、０〜３００の範囲であり、ここで、ｅ及びｆの合計は少なくとも１、好ましくは３〜５０の範囲である。好ましくは、ｅは１〜１００の範囲であり、そして、ｆは０〜３０の範囲である。
【０１００】
ｅ及びｆは、ランダムに重合され得るか、又はブロック状であり得ると認識される。１つの態様において、一般式（ＩＩＩ）で表される化合物は、ブロックコポリマー又はランダムコポリマー、好ましくはブロックコポリマーであり得る。
【０１０１】
アルコキシル化アルコールのその他の好ましい例は、例えば、一般式（ＩＶ）で表される化合物
【化１８】
2019527259.tif 000019
であり、変項は以下のように定義される：
Ｒ６は、水素原子、及び直鎖Ｃ１−Ｃ１０−アルキル基から選択され、好ましくは各々の場合において同一であり、そしてエチル基であり、そして特に好ましくは水素原子又はメチル基であり、
Ｒ７は、Ｃ６−Ｃ２０−アルキル基、分枝又は直鎖、例えば、ｎ−Ｃ８Ｈ１７、ｎ−Ｃ１０Ｈ２１、ｎ−Ｃ１２Ｈ２５、ｎ−Ｃ１３Ｈ２７、ｎ−Ｃ１５Ｈ３１、ｎ−Ｃ１４Ｈ２９、ｎ−Ｃ１６Ｈ３３、ｎ−Ｃ１８Ｈ３７、から選択され、
ａは、０〜１０、好ましくは１〜６の範囲の数字であり、
ｂは、１〜８０、好ましくは４〜２０の範囲の数字であり、
ｃは、０〜５０、好ましくは４〜２５の範囲の数字である。
【０１０２】
ａ＋ｂ＋ｄの合計は、好ましくは５〜１００の範囲、さらにより好ましくは９〜５０の範囲である。
【０１０３】
一般式（ＩＩＩ）及び（ＩＶ）の化合物は、ブロックコポリマー又はランダムコポリマーであり得、ブロックコポリマーが好ましい。
【０１０４】
さらに適した非イオン性界面活性剤は、エチレンオキシド及びプロピレンオキシドから構成されるジ−及びマルチブロックコポリマーから選択される。さらに適した非イオン性界面活性剤は、エトキシル化又はプロポキシル化されたソルビタンエステルから選択される。アミンオキシド又はアルキルポリグリコシド、特に直鎖のＣ４−Ｃ１６−アルキルポリグリコシド、一般的な平均的な式（ＶＩ）の化合物のような分枝Ｃ８−Ｃ１４−アルキルポリグリコシドが同様に好適である。
【０１０５】
【化１９】
2019527259.tif 000020
（式中、
Ｒ８は、Ｃ１−Ｃ４−アルキル基、特にエチル基、ｎ−プロピル基又はイソプロピル基を表し、
Ｒ９は、−（ＣＨ２）２−Ｒ７を表し、
Ｇ２は、４〜６個の炭素原子を有する単糖類、特にグルコース又はキシロースから選択され、そして、
ｓは、１．１〜４の範囲を表し、ｓは平均の数である。）
【０１０６】
非イオン性界面活性剤の更なる例は、一般式（ＶＩＩ）及び（ＶＩＩＩ）で表される化合物
【化２０】
2019527259.tif 000021
（式中、
Ｒ７は、一般式（ＩＶ）で定義した上記のものを表す。
ＡＯは、一般式（ＩＩＩ）で上記に定義されたｆの群、又は、一般式（ＩＶ）で上記に定義したａ又はｄの群に対応する。
Ｒ１０は、分枝又は直鎖のＣ８−Ｃ１８−アルキル基を表す。
Ａ３Ｏは、プロピレンオキシド又はブチレンオキシドから選択され、
ｗは、１５〜７０、好ましくは３０〜５０の範囲の数を表し、
ｗ１及びｗ３は、１〜５の範囲の数を表し、そして
ｗ２は、１３〜３５の範囲の数を表す。）である。
【０１０７】
さらに適した非イオン性界面活性剤の概説は、欧州特許公開第０８５１０２３号公報及びドイツ国特許公開第１９８１９１８７号公報において見られ得、これは参照として本願明細書に取り込まれる。
【０１０８】
前記から選択される２種以上の種々の非イオン性界面活性剤の混合物もまた、存在し得る。
【０１０９】
乾燥状態又は液体製剤、好ましくは乾燥状態又は液体洗浄用製剤のための適した陽イオン界面活性剤は、幾つかの種々の型のものであり得る。例えば、有用な陽イオン界面活性剤は、脂肪族アミン、第４級アンモニウム界面活性剤、イミダゾリン第４級（quat）材料及びそれらの混合物から選択され得る。
【０１１０】
両性界面活性剤もまた、乾燥状態又は液体製剤、好ましくは乾燥状態又は液体洗浄用製剤における使用に適しており、そして幾つかの種々の型のものであり得る。例えば、両性界面活性剤は、第２級アミン又は第３級アミンの脂肪族化合物誘導体及び／又は複素環の第２級アミン又は第３級アミンの脂肪族化合物誘導体（脂肪族基は、直鎖又は分枝鎖であり得る）から選択され得る。脂肪族置換基が少なくも８個の炭素原子、好ましくは８〜１８個の炭素原子を含み、そして、少なくとも１種の陰イオン性の水に可溶な基、例えば、カルボキシ、スルホネート又はサルフェート基を含むことが好ましい。
【０１１１】
乾燥状態又は液体製剤、好ましくは乾燥状態又は液体洗浄用製剤はまた、タンパク質系、炭水化物系、又はトリグリセリド系の汚れの除去のための酵素を含み得る。例えば、適した酵素は、ヘミセルラーゼ、ペルオキシダーゼ、プロテアーゼ、セルラーゼ、キシラナーゼ、リパーゼ、ホスホリラーゼ、エステラーゼ、クチナーゼ、ペクチナーゼ、ケラタナーゼ、リダクターゼ、オキシダーゼ、フェノールオキシダーゼ、リポキシゲナーゼ、リグイナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼ、及びそれらの混合物を含む群より選択される。これらは植物、動物、細菌、真菌及び酵母由来のような如何なる好適な由来のものであり得る。
【０１１２】
１つの実施態様において、乾燥状態又は液体製剤、好ましくは乾燥状態又は液体洗浄用製剤は、アミラーゼと組み合わせてプロテアーゼ、リパーゼ、クチナーゼ及び／又はセルラーゼのような慣用の酵素の混合物を含む。
【０１１３】
ここで有用なプロテアーゼは、バシラス属（例えば、ｓｕｂｔｉｌｉｓ（枯草菌）、ｌｅｎｔｉｓ、ｌｉｃｈｅｎｉｆｏｒｍｉｓ、ａｍｙｌｏｌｉｑｕｅｆａｃｉｅｎｓ（ＢＰＮ，ＢＰＮ‘）、ａｌｃａｌｏｐｈｉｌｕｓ）からのサブチリシン、例えば、ノボザイムズ（Ｎｏｖｏｚｙｍｅｓ）社からの市販品エスぺラーゼ（Ｅｓｐｅｒａｓｅ）（登録商標）、アルカラーゼ（Ａｌｃａｌａｓｅ）（登録商標）、エベルラーゼ（Ｅｖｅｒｌａｓｅ）（登録商標）又はサビナーゼ（Ｓａｂｉｎａｓｅ）（登録商標）のようなものを含む。アミラーゼ（α及び／又はβ）の市販品は、例えば、ジェネンコール（Ｇｅｎｅｎｃｏｒ）社からのピュアフェクト（Ｐｕｒａｆｅｃｔ）Ｏｘ  Ａｍ（登録商標）又はノボザイムズ社からのターマミル（Ｔｅｒｍａｍｙｌ）（登録商標）、ナタラーゼ（Ｎａｔａｌａｓｅ）（登録商標）、バン（Ｂａｎ）（登録商標）、フンガミル（Ｆｕｎｇａｍｙｌ）（登録商標）及びデュラミル（Ｄｕｒａｍｙｌ）（登録商標）である。適したリパーゼは、シュードモナス（Ｐｓｅｕｄｏｍｏｎａｓ）及びクロモバクター（Ｃｈｒｏｍｏｂａｃｔｅｒ）群により産生されたものを含む。リポラーゼ酵素は、Ｈｕｍｉｃｏｌａ  ｌａｎｕｇｉｎｏｓａから派生し得、そして、ノボ（Ｎｏｖｏ）社から市販され、又はノボエンザイムズ社からのリポラーゼウルトラ（Ｌｉｐｏｌａｓｅ  Ｕｌｔｒａ）（登録商標）、リポプライム（Ｌｉｐｏｐｒｉｍｅ）（登録商標）及びリペックス（Ｌｉｐｅｘ）（登録商標）から市販されている。また、好適なものは、クチナーゼ及びエステラーゼである。好適なセルラーゼは、細菌型及び真菌型の両方を含み、典型的なものは最適ｐＨが５〜１０を有する。例としては、Ｈｕｍｉｃｏｌａ  ｉｎｓｏｌｅｎｓ又はＨｕｍｉｃｏｌａ株ＤＳＭＩ８００からの真菌セルラーゼ、又はＡｅｒｏｍｏｎａｓ属に属する真菌が産生するセルラーゼ  ２１２、及び軟体動物Ｄｏｌａｂｅｌｌａ  Ａｕｒｉｃｕｌａ  Ｓｏｌａｎｄｅｒの肝膵臓から抽出されたセルラーゼを含む。ノボエンザイムズ社からのカレザイム（ＣＡＲＥＺＹＭＥ）（登録商標）、エンドラーゼ（ＥＮＤＯＬＡＳＥ）及びセルザイム（ＣＥＬＬＵＡＹＭＥ）（登録商標）又はＴｒｉｃｈｏｄｅｒｍａ  ｌｏｎｇｉｂｒａｃｈｉａｔｕｍからのＥＧＩＩＩセルラーゼもまた適している。
【０１１４】
漂白酵素は、漂白剤、例えば、ペルオキシダーゼ、ラッカーゼ、オキシゲナーゼ、例えば、カテコール  １，２  ジオキシゲナーゼ、リポキシゲナーゼ、（ノンヘム）ハロペルオキシダーゼとして、使用され得る。
【０１１５】
乾燥状態又は液体製剤、好ましくは乾燥状態又は液体洗浄用製剤に使用され得る過酸化（Ｐｅｒｏｘｙｇｅｎ）化合物は、水溶液中に過酸化水素を得ることができる通常の化合物であり、当業者に周知である。例えば、過酸化化合物は、アルカリ金属過酸化物、過酸化尿素のような有機過酸化物、及び過ホウ酸ナトリウム四水和物又は過ホウ酸ナトリウム一水和物のようなアルカリ金属過ホウ酸塩のような無機過酸化塩、過炭酸塩、過リン酸塩、過ケイ酸塩、クメンヒドロキシペルオキシド又はｔ−ブチルヒドロペルオキシドのようなアルキルヒドロキシペルキシド、モノペルオキシ酸（例えば、ペルオキシ−α−ナフトエ酸、ペルオキシラウリン酸、ペルオキシステアリン酸及びＮ，Ｎ−フタロイルアミノペルオキシカプロン酸（ＰＡＰ）、６−オクチルアミノ−６−オキソ−ペルオキシヘキサン酸、１，１２−ジペルオキシドデカンジカルボン酸（ＤＰＤＡ），２−デシルペルオキシブタン−１，４−ジカルボン酸又は４，４’−スルホニルビスペルオキシ安息香酸）のような有機過酸化物及びそれらの混合物を含む群から選択される。
【０１１６】
蛍光増白剤は、蛍光を呈する如何なる化合物も含み、ＵＶ光を吸収しそして「青」の可視光として再放射する化合物も含む。特に、適した蛍光増白剤は、約２７５ｎｍ〜約４００ｎｍのスペクトルの紫外部の光を吸収し、そして約４００ｎｍ〜約５００ｎｍのスペクトルの紫〜紫−青領域において光を放出する。例えば、光学的光沢剤は、共役する二重結合の連続した鎖を含む。適した蛍光増白剤の例としては、スチルベン若しくは４，４−ジアミノスチルベン、ビフェニル、トリアゾール、オキサゾール、イミダゾール等の５員環の複素環、又は６員環の複素環（例えば、クマリン、ナフタルイミド、ｓ−トリアジン等）の誘導体を含む。陽イオン性、陰イオン性、非イオン性、両性及び双性イオン性の蛍光増白剤は、本発明の乾燥状態又は液体製剤、好ましくは乾燥状態又は液体洗浄用製剤において使用され得る。
【０１１７】
乾燥状態又は液体製剤、好ましくは乾燥状態又は液体洗浄用製剤はまた、錯化剤、例えば鉄及びマンガンの錯化剤を含み得る。そのような錯化剤は、カルボキシレート、アミノホスホネート、多くの官能基の置換された芳香族錯化剤及びそれらの混合物を含む群から選択され得る。好適な錯化剤は、アミノカルボン酸のアルカリ金属塩から、及びクエン酸、酒石酸及び乳酸のアルカリ金属塩から選択され得る。アルカリ金属塩は、リチウム塩、ルビジウム塩、セシウム塩、カリウム塩及びナトリウム塩、及び前記の少なくとも２種の組み合わせから選択される。カリウム塩及びカリウム塩とナトリウム塩の組み合わせが好ましく、そしてナトリウム塩がさらにより好ましい。
【０１１８】
アミノカルボン酸の例は、イミノジコハク酸（ＩＤＳ）、エチレンジアミン四酢酸（ＥＤＴＡ）、ニトリロ三酢酸（ＮＴＡ）、メチルグリシン二酢酸（ＭＧＤＡ）及びグルタミン酸二酢酸（ＧＬＤＡ）である。
【０１１９】
乾燥状態又は液体製剤、好ましくは乾燥状態又は液体洗濯製剤は、ＥＤＴＡ（Ｎ，Ｎ，Ｎ’，Ｎ’−エチレンジアミン四酢酸）、ＮＴＡ（Ｎ，Ｎ，Ｎ−ニトリロ三酢酸）、ＭＧＤＡ（２−メチルグリシン−Ｎ，Ｎ−二酢酸）及びＧＬＤＡ（グルタミン酸  Ｎ，Ｎ−二酢酸），２−ホスホノ−１，２，４−ブタントリカルボン酸、アミノトリ（メチレンホスホン酸）、１−ヒドロキシエチレン（１，１−ジホスホン酸）（ＨＥＤＰ）、エチレンジアミンテトラメチレンホスホン酸、ヘキサメチレンジアミンテトラメチレンホスホン酸、及びジエチレントリアミンペンタメチレンホスホン酸のようなホスホン酸及び夫々の場合における各アルカリ金属塩、特に各ナトリウム塩の少なくとも１種の有機錯化剤（補助ビルダー）を含み得る。好ましいものは、ＨＥＤＰ，ＧＬＤＡ及びＭＧＤＡのナトリウム塩である。
【０１２０】
乾燥状態又は液体製剤、好ましくは乾燥状態又は液体洗浄用製剤はまた、ポリマー、例えばポリカルボキシレートを含み得る。
【０１２１】
乾燥状態又は液体製剤、好ましくは乾燥状態又は液体洗浄用製剤は、上記添加剤の１種以上を（合計で）製剤中の活性材料の総質量に基づき０．５〜２５質量％、好ましくは０．５〜２０質量％、そして最も好ましくは０．５〜１７．５質量％範囲の量で好ましく含む。製剤中の活性材料の総質量は、（特に示されないかぎり）１種以上の添加剤及び一般式（Ｉ）の化合物の総質量を指し、即ち、水は除かれる。
【０１２２】
下記一般式（Ｉ）
【化２１】
2019527259.tif 000022
（式中、Ｒは、非置換の分枝のＣ９−Ｃ１５−アルキル基を表し、Ｇ１は５又は６個の炭素原子を有する単糖類から選択され、ｘは１〜１０の範囲にあり平均値を表す。）で表される２種以上の化合物を含み、
そして式中、前記２種以上の化合物は、Ｒ及び／又はＧ１及び／又はｘにおいて異なるものである化合物を含む組成物が、洗濯プロセスにおいて使用された場合に抗灰色化剤として非常に優れた結果を示すものであることが好ましい。
【０１２３】
特に、抗灰色化剤として使用される一般式（Ｉ）で表される２種以上の化合物を含む組成物は、洗浄された布地の灰色化を低減させる。当該布地は、天然の布地、合成繊維及びこれらの混合から選択され得る。例えば、天然の布地は、綿、麻及び／又は絹の布地である。合成繊維は、ポリエステル及び／又はポリアミド繊維であり得る。混紡された天然／合成繊維は、例えばポリエステル／綿布地であり得る。
【０１２４】
一般式（Ｉ）で表される２種以上の化合物を含む組成物の抗灰色化性能は、広範な温度範囲において達成され得ることが好ましい。したがって、一般式（Ｉ）で表される２種以上の化合物を含む組成物は、好ましくは５〜１２０℃の範囲の温度において抗灰色化剤として好ましく使用される。この観点において、洗濯プロセスは、５〜１２０℃の範囲の温度、好ましくは５〜１００℃の範囲の温度において行われ得る。したがって、一般式（Ｉ）で表される２種以上の化合物を含む組成物は、ホームケア洗濯製品、工業用洗濯製品等における抗灰色化剤として好ましく使用され、最も好ましくはホームケア洗濯製品として使用される。
【０１２５】
本発明の範囲と利益は、本発明の特定の態様を説明することを意図する下記の実施例に基づきよりよく理解されるもので、これは限定されるものではない。
【実施例】
【０１２６】
一般式（Ｉ）で表される２種以上の化合物を含む組成物の優れた抗灰色化性能を下記のとおり、ラウンダーメータ（Ｌａｕｎｄｅｒ−ｏ−ｍｅｔｅｒ）を用いることにより従来技術の化合物との比較において実証した：
幾つかの白色の試験見本を、汚れた布地ＥＭＰＡ  １０１／ＳＢＬ  ２００４及び２０個の鋼玉と共に、４０℃の水において、選択された一般式（Ｉ）で表される２種以上の化合物を含む組成物又は比較化合物とともに洗浄した。洗浄水のｐＨ値を８．０に調節した。使用した２種以上の化合物を含む組成物並びに比較化合物を表１に概説する。洗浄後、試験布地をすすぎそして脱水機で脱水した。洗濯サイクルは、新しい汚れた布地及び新しい洗浄液を用いて２回繰り返した。３回目の洗浄後、試験布地をすすぎ、脱水機で脱水して、空気中で乾燥させた。
【０１２７】
【表１】
2019527259.tif 000023
【０１２８】
♯：活性分：一般式（Ｉ）で表される２種以上の化合物を含有する組成物の総質量に基づいて１００質量％
♯１：活性分：一般式（Ｉ）で表される２種以上の化合物を含有する組成物の総質量に基づいて５４質量％
♯２：活性分：一般式（Ｉ）で表される２種以上の化合物を含有する組成物の総質量に基づいて４３質量％
【０１２９】
洗浄条件を下記表２に概説する。
【０１３０】
【表２】
2019527259.tif 000024
【０１３１】
１）綿布地：
ｗｆｋ  １０Ａ、軽減８１．８％；製造者：ｗｆｋ  ｔｅｓｕｔｇｅｗｅｂｅ  ＧｍｂＨ、ドイツ国ブリュッゲン
ｗｆｋ  ８０Ａ、軽減８５．７％；製造者：ｗｆｋ  ｔｅｓｕｔｇｅｗｅｂｅ  ＧｍｂＨ、ドイツ国ブリュッゲン
ｗｆｋ  １２Ａ、軽減９４．４％；製造者：ｗｆｋ  ｔｅｓｕｔｇｅｗｅｂｅ  ＧｍｂＨ、ドイツ国ブリュッゲン
ＥＭＰＡ  ２２１、軽減８７．１％；製造者：ＥＭＰＡ  Ｔｅｓｔｍａｔｅｒｉａｌｉｅｎ  ＡＧ、スイス国ザンクト・ガレン
２）ｗｆｋ  ２０Ａポリエステル／綿、軽減８３．４％；製造者：ｗｆｋ  ｔｅｓｕｔｇｅｗｅｂｅ  ＧｍｂＨ、ドイツ国ブリュッゲン
３）ｗｆｋ  ３０Ａポリエステル、軽減８１．２％；製造者：ｗｆｋ  ｔｅｓｕｔｇｅｗｅｂｅ  ＧｍｂＨ、ドイツ国ブリュッゲン
４）ＥＭＰＡ  ４０６ポリアミド、軽減７７．１％；製造者：ＥＭＰＡ  Ｔｅｓｔｍａｔｅｒｉａｌｉｅｎ  ＡＧ、スイス国ザンクト・ガレン
５）ＥＭＰＡ  １０１カーボンブラック／オリーブ油；製造者：ＥＭＰＡ  Ｔｅｓｔｍａｔｅｒｉａｌｉｅｎ  ＡＧ、スイス国ザンクト・ガレン
６）ＳＢＬ  ２００４、汚れ負荷シート；製造者：ｗｆｋ  ｔｅｓｕｔｇｅｗｅｂｅ  ＧｍｂＨ、ドイツ国ブリュッゲン
７）泥、ピーナツ油、鉱物油及び水の混合物
【０１３２】
抗灰色化性能を、Ｆａ．データカラー（Ｄａｔａｃｏｌｏｒ）社からの分光光度計（Ｅｒｅｐｈｏ２０００）を用いて４６０ｎｍにおいて洗浄前後の汚れた布地の軽減値の測定により決定した。より高い値は、性能がより良いことを示す。結果もまた上記表１に概説する。結果より、本発明に係る一般式（Ｉ）で表される２種以上の化合物を含む組成物は、従来技術の化合物と比較して優れた抗灰色化性能を示した。
【国際調査報告】
2019527259.tif 000026
2019527259.tif 000027